(57)【要約】【課題】  従来のラケット用ガットはガット断面積が円形であるため、打球性、耐久性、及び張設性の良好な特性を有するガットが得ることができなかった。特に、ガットが、対象物（テニスボール等）が当たると、ガットの縦ガットと横ガットの接触面が点接触のため、縦ガットと横ガットが容易にずれることがあり、優れた特性が得られないことがあった【解決手段】  課題を解決するために、ガットの縦ガットと横ガットの接触面が面接触することができるように、ラケットのガットの断面積が長方形及び長方形の変形を有するガットを提供する。【選択図】図６
2009050660.tif 000002
【特許請求の範囲】
【請求項１】
テニス、バトミントン等のラケットに使用する、打球性、耐久性、及び張設性の良好な特性を有する天然製、プラスチック製、及び合成繊維製のガットの断面積が長方形及び長方形の変形を有するガットを提供すること。
【請求項２】
請求項１に記載する、テニス、バトミントン等のラケットに使用する、打球性、耐久性、及び張設性の良好な特性を有する天然製、プラスチック製、及び合成繊維製のガットの断面積が長方形の角が丸みを持つ形を有するガットを提供すること。
【請求項３】
請求項１に記載する、テニス、バトミントン等のラケットに使用する、打球性、耐久性、及び張設性の良好な特性を有する天然製、プラスチック製、及び合成繊維製のガットの断面積が扁平なる形を有するガットを提供すること。
【発明の詳細な説明】
【技術分野】
【０００１】  本発明は、ラケットのガットの断面積が長方形及び長方形の変形を有するガットを提供することに関する。
【背景技術】
【０００２】  テニス等のラケットに張り付けるガット（繊維状のストリング）は、従来、ヒツジ等の腸から作った天然の繊維状のものが発祥である。現在では、合成繊維の出現により、プラスチック製、及び合成繊維製のモノフィラメント又はマルチフィラメント（繊維束）からなるガットが汎用に使われている。【０００３】  糸状の繊維は、その製造工程において、通常、最終的にはその断面積は円形になる性質がある。従来の製造工程において、ガット断面積が真円でなく、形がくずれやや楕円になることがあるが、それでも基本的には円形である。
これまで、本分野で使用されるガットの断面積が円形ないしその円形の変化した形状をしていないラケット用ガットは見当たらない（特許文献１，２，３，４，５）。
ラケット用ガットに求められる特性は、打球性、耐久性、及び張設性がある。打球性は反発性、コントロール性、ボール等への回転の賭け易さ、打球感である。耐久性は張設されたガットの応力緩和による緩みと打球毎の摩擦によるガット切断に耐える性能である。張設性はラケットのガットを張る時の張り易さである。
合成繊維製のガットとしては、ナイロン、ポリエステル等の合成繊維のモノフィラメントないしマルチフィラメントを使用したガットが考案されている。
また、芯糸に細い巻き線で１〜２重等に巻回した断面が多重構造のガットも考案されている。
【特許文献１】特開昭５６−１５６１７５号広報
【特許文献２】特開平７−２７５４０３号公報
【特許文献３】特開平８−１５０２２７号公報
【特許文献４】特開２００２−２３９０３５号広報
【特許文献５】特開２００５−３４８８５１号広報
【発明の開示】
【発明が解決しようとする課題】
【０００４】  しかし、従来のラケット用ガットはガット断面積が円形であるため、良好な打球性、耐久性、及び張設性の特性を有するガットが得ることができなかった。
ガットが、対象物（テニスボール等）が当たると、ガットの縦ガットと横ガットの接触面が図８に示すように点接触のため、縦ガットと横ガットが容易にずれることがあり、打球性、耐久性、及び張設性等の良好な特性が得られないことがあった。【０００５】  特に、ガットの縦ガットと横ガットの接触面が点接触のため、打球毎にガットがずれるため、ガットの耐久性が低かった。【０００６】  そこで、本発明はガット断面積が長方形及び長方形の変形であるガットと提供することにある。
【課題を解決するための手段】
【０００７】  上記の課題を解決するために、請求項１記載のラケットのガットの断面積が長方形及び長方形の変形であること。【０００８】  上記の課題を解決するために、請求項２記載のラケットのガットの断面積が長方形の角が丸みを持つ形であること。【０００９】  上記の課題を解決するために、請求項３記載のラケットのガットの断面積が扁平なる形であること。
これらにより、課題を解決することができる。
【発明の効果】
【００１０】  本発明は次のような効果が得られる。
請求項に記載されている発明は、従来のガット断面が円形のガットに比べ、打球性、耐久性、及び張設性の良好な特性を有するガットを得ることができる。【００１１】  また、ガットの縦ガットと横ガットの接触面が、図９及び図１０に示すように、点接触より広い面接触であるため、縦ガットと横ガットがずれることがほとんどない。これにより、打球性、耐久性、及び張設性の良好な特性を有するガットを得ることができる。特に、耐久性が高い特性を得ることができる。
【発明を実施するための最良の形態】
【００１２】  本発明の実施の最良の形態を、図面を参照しつつ詳細に説明する。
既に知られている、公知のガット製造工程では、公知の延伸工程を経て、最終的には、従来のガットの断面は基本的に円形となる。
このため、ラケットに縦方向、横方向に張付けられたガットは円形同士であるのでその接触は図８に示すように点接触である。【００１３】  従来は対象物（ボール等）がガットに当たる毎に、点接触で打球の衝突・摩擦エネルギを吸収している。また、スライスボール等の変化球を求めるプレイヤでは対象物（ボール等）を擦ることがある。
このため、点接触している縦・横のガット同士が容易にずれることが頻発している。このずれることは、ガットの特性と損傷に直接影響していた。【００１４】  本発明では、ガット製造工程において、ガットの断面が、従来の円形ではない、長方形ないしその変形を有するガットを提供するものである。
本発明の目的を達成するのに、ガット断面は、角ある四角い長方形であることはかならずしも必須手段ではない。ガットの製造工程において、長方形の角が丸みを持つ形、ないしその変形の断面を有することにより、本発明の目的を付随的に達成ができる。ガットの製造工程において、長方形が扁平にすることがあるが、同様に、本発明の目的を付随的に達成ができる。【００１５】  ガット断面が長方形の場合、ラケットに張られた縦横ガットの接触は、図９に示すとおりである。ガット断面が扁平の場合を図１０に示すとおりである。いずれも、図８の点接触に比較し広い接触面積を持つ。
ラケットのフレームに本発明のガットを張付けた概念図を図１１に示す。【００１６】  本発明では、縦横ガットの接触では、広い面接触を達成できるので、対象物（ボール等）がガットに当たる毎の、エネルギは緩衝され、かつ、ずれることが少ないので、ガットが損傷することが少ない。このため、従来のガット断面が円形のガットに比べ、打球性、耐久性、及び張設性の良好な特性を有するガットを得ることができる。
また、ガットが長持ちするという、耐久性の高い特性を得ることができる。
【実施例１】
【００１７】  本発明の図６（ガット断面が長方形の変形、モノフィラメント）に示す、テニス用のガットを製造した。【００１８】打球評価
本発明のガットを張付けたテニスラケットを、９人のアマチュアトッププレイヤに実際に打球してもらい、打球性、耐久性、及び張設性の総合評価で評価した。
評価は４段階（◎、○、△、×）である。その結果を表１に示す。【００１９】  上記の実施例１に使用したガットは、以下のような常法の製造方法により製造される。合成繊維用のペレットを熱融解、長方形の特殊異形口金にて紡糸、延伸し、フィラメント状にした。ガットの断面を長方形の変形にする加熱・延伸を行なった。
【比較例１】
【００２０】  実施例１と比較するため、市販のテニスガット図３（ガット断面：円形、モノフィラメント）を、実施例１と同じ条件にてテニスラケットに張付け、アマチュアトッププレイヤによる同様な評価を行った。その結果を表１に示す。
【００２１】  本発明による、ガットを構成するフィラメントは、実施例１ではナイロン６のポリアミド繊維であるが、ナイロン６、ナイロン６６等のポリアミド繊維に限定されず、ポリエステル繊維及びポリビニリデン繊維等の合成繊維であってもよい。
また、マルチフィラメントの製造において、マルチフィラメントを束ねる接着剤は、公知の接着剤、ポリアミド系、ポリウレタン系接着剤を使用することがある。
【表１】
2009050660.tif 000003
【産業上の利用可能性】
【００２２】  本発明は、ラケットのガットの断面積が長方形及び長方形の変形を有するガットを提供することに関する。
本発明は、従来のガット断面が円形のガットに比べ、打球性、耐久性、及び張設性の良好な特性を有するガットを得ることができる。
また、縦ガットと横ガットの接触面が点接触より広い面接触ため、縦ガットと横ガットがずれることがほとんどないので、耐久性が高い特性を得ることができる。
【図面の簡単な説明】
【００２３】
【図１】  ラケットの正面図である。
【図２】  ラケットの側面図である。
【図３】  円形ガットの断面図である。
【図４】  長方形ガットの断面図である。
【図５】  長方形変形１のガット断面図である。
【図６】  長方形変形２のガット断面図である。
【図７】  長方形変形３のガット断面図である。
【図８】  ガット断面が円形の場合のガット接触概念図である。
【図９】  ガット断面が長方形の場合のガット接触概念図である。
【図１０】  ガット断面が長方形変形３の場合のガット接触概念図である。
【図１１】  本発明のガットを張付けた概念図である。
【符号の説明】
【００２４】１    ラケット
２    フレーム
３    ガット断面（円形）
４    ガット断面（長方形）
５    ガット断面（長方形変形１）
６    ガット断面（長方形変形２）
７    ガット断面（長方形変形３）
８    ガット
９    縦ガットと横ガット接触面（ガット断面が円形）
１０  縦ガットと横ガット接触面（ガット断面が長方形）
１１  縦ガットと横ガット接触面（ガット断面が長方形変形３）
１２  ガット挿通孔
【図１】
2009050660.tif 000004
【図２】
2009050660.tif 000005
【図３】
2009050660.tif 000006
【図４】
2009050660.tif 000007
【図５】
2009050660.tif 000008
【図６】
2009050660.tif 000009
【図７】
2009050660.tif 000010
【図８】
2009050660.tif 000011
【図９】
2009050660.tif 000012
【図１０】
2009050660.tif 000013
【図１１】
2009050660.tif 000014